(57)【要約】【課題】ボー量の調整を精度よく、簡単に行えるセグメントスプレッダロールの調整機構と調整方法およびワインダ設備。【構成】親巻きロールから紙を巻き戻しスリッタで所定の幅にスリットし、紙幅方向に直列の複数の分割ロールからなるセグメントスプレッダロールを経由してシッピングロールを製造するワインダ設備におけるセグメントスプレッダロールの調整機構であって、各分割ロールを支持するハウジングを紙送り方向に移動可能に支持する複数のプレートと、プレートを紙送り方向に移動可能に支持しフレーム上に固定されるガイドと、プレートとガイドの間に装着されプレートをガイドに対して紙送り方向に移動および固定する調整ボルトと、フレームに固定されピストン先端がプレートにピン支持されたリンク手段を介してハウジングに連動しハウジングをプレートに対して移動させるシリンダとを備えてなるように構成した。【選択図】            図２
2004189412.tif 000002
【特許請求の範囲】
【請求項１】
親巻きロールから紙を巻き戻しスリッタで所定の幅にスリットし、紙幅方向に直列の複数の分割ロールからなるセグメントスプレッダロールを経由してシッピングロールを製造するワインダ設備におけるセグメントスプレッダロールの調整機構であって、前記各分割ロールを支持するハウジングを紙送り方向に移動可能に支持する複数のプレートと、同プレートを同紙送り方向に移動可能に支持しフレーム上に固定されるガイドと、前記プレートと前記ガイドの間に装着され同プレートを同ガイドに対して前記紙送り方向に移動および固定する調整ボルトと、同フレームに固定されピストン先端が前記プレートにピン支持されたリンク機構を介して前記ハウジングに連動し同ハウジングを前記プレートに対して移動させるシリンダとを備えてなることを特徴とするセグメントスプレッダロールの調整機構。
【請求項２】
請求項１に記載のセグメントスプレッダロールの調整機構において、前記複数のプレートは前記紙幅方向の中央部に位置するプレートから側端部に位置するプレートへ順次厚さを減じたものとしてなることを特徴とするセグメントスプレッダロールの調整機構。
【請求項３】
請求項１または請求項２に記載のセグメントスプレッダロールの調整機構を備えてなることを特徴とするワインダ設備。
【請求項４】
請求項１または請求項２に記載のセグメントスプレッダロールの調整機構を用い、予め前記シリンダで前記各分割ロールのボー量を一次的に設定したのち、ついで前記調整ボルトで前記各分割ロールのボー量を二次的に微調整することを特徴とするセグメントスプレッダロールの調整方法。
【発明の詳細な説明】
【０００１】
【発明の属する技術分野】
本発明は、抄紙機で連続的に抄造され、所定の径に巻き取られた広幅の親巻きロールから巻き戻した紙を、スリッタで所定の巾にスリットして、シッピングロールを製造するワインダ設備において、スリットされた紙の巾方向の分離性を向上させるために巻き取りドラム直前に設けられるセグメントスプレッダロールの調整機構とそれを備えたワインダ設備、およびセグメントスプレッダロールの調整方法に関する。
【０００２】
【従来の技術】
図７および図８に基づき、一般的なツードラムワインダ設備を説明する。図７は一般的なツードラムワインダ設備（例えば、特許文献１参照）の構成概要立面図であり、図８は図７中Ａ−Ａ矢視平面図である。
【０００３】
図７、８において、５３は親巻きロールであり、図示しない抄紙機で所定の幅に連続的に抄造された紙５１を、リールスプール５２に巻き取り、大径で広幅の親巻きロール５３が製造される。
【０００４】
親巻きロール５３はアンワインダ装置５４にセットされ、親巻きロール５３の紙５１は巻き戻されながら、リードインロール５５を経由して、スリッタ５６において所定の巾にスリットされる。
【０００５】
所定の巾にスリットされた紙５１は各種ガイドロールを経て、ツードラムワインダ５８の直前に設けられたセグメントスプレッダロール５７を経由して、ツードラムワインダ５８上にセットされたコア５９に所定の径に達するまで巻き取られて、シッピングロール６０が製造される。
【０００６】
ツードラムワインダ５８は、同方向に同期回転駆動される第１ドラム５８ａと第２ドラム５８ｂを水平平行軸に配しており、コア５９は両ドラム５８ａ、５８ｂ上に載置されて、両ドラムの回転につれて回転し、紙５１は第１ドラム５８ａと第２ドラム５８ｂの間を下から第１ドラムの外周周りに上りコア５９の外周周りに移って巻き取られる。
【０００７】
ここで、セグメントスプレッダロール５７は、スリッタ５６でスリットされた紙５１の紙巾方向の分離性を向上させ、シワ入り等の不具合を防止するために設けられているものである。
【０００８】
図９は、図８におけるセグメントスプレッダロール５７を取り出し、同方向で示すセグメントスプレッダロールの平面図であり、セグメントスプレッダロール５７は、適当な軸長を有する分割ロール６１を紙幅方向Ｙに複数個直列に連結して構成され、全体として、図９に強調して示すように、紙５１の紙送り方向Ｘ下流に向けて凸の弓形の形状になるように、個々の分割ロール６１の軸端を一定の方向に適当量の変位ａ（以下ボー量と呼ぶ）を与え、全体としての弓形形状に調整するようになっている。
【０００９】
以下、図１０、図１１に基づき、従来のセグメントスプレッダロールの調整機構と調整方法を説明する。図１０は、図９中Ｂ−Ｂ矢視による従来のセグメントスプレッダロールの調整機構の拡大断面図である。図１０に示すように、各分割ロール６１は、軸６３の両端部においてベアリング６４を介して、ロール部６５が回転自在に取付けられており、軸６３の軸端は、球面ブッシュ６６を介して、ハウジング６７によって支持されている。さらに、各ハウジング６７はそれぞれ、フレーム７０に固定されたガイド６８に沿って紙送り方向に摺動可能に取付けられたプレート６９に固定されている。
【００１０】
また、図１１は、図１０中Ｃ−Ｃ矢視図であり、図１１に示すように、フレーム７０に固定されたガイド６８の一方の端に設けられたブラケット７１に、ピン７２によって回動自在にピン支持されたリンク７３の一方の先端は、リンク７４によってハウジング６７とピン接合されており、リンク７３の他方の先端はフレーム７０に固定されたシリンダ７５のピストン先端７５ａとピン接合されているリンク機構が構成されている。
【００１１】
したがって、ハウジング６７は上記リンク機構を介してピストン先端７５ａと連動しており、シリンダ７５の伸縮によって、リンク７３がピン７２周りに回動し、リンク７４を介してハウジング６７をガイド６８に従って前後移動させ、ハウジング６７に支持された分割ロール６１はガイド６８に沿って紙送り方向の前後方向に移動する。
【００１２】
そして、各分割ロール６１について、各々のシリンダ７５を適当に作動させて図９に示すように、全体として適当な弓形の形状になるように各ボー量ａを調節する構成になっている。
【００１３】
【特許文献１】
特開平８−２６８６０７号公報（３頁、図２）
【００１４】
【発明が解決しようとする課題】
上記のような従来のセグメントスプレッダロールの調整機構とそれによる調整方法においては、各分割ロール６１のボー量ａの調節は、紙５１の分割数、即ちシッピングロール６０の巾、紙質、湿度および運転速度等により、その都度行う必要があり、また、ボー量ａを０．１ｍｍの精度のレベルで調整しないと紙５１にシワ入り等が生じる。
【００１５】
そのため、従来、シリンダ７５のみでボー量ａを調節するには、精度的に十分でなく、多大な労力と時間を要しており、また、紙５１のシワ入り等の不具合を完全に排除することが困難であった。したがってかかる従来のセグメントスプレッダロールの調整機構を備えたワインダ設備は、稼働効率の低下、製品品質上の問題の恐れがあった。
【００１６】
本発明はかかる従来のセグメントスプレッダロールの調整機構と調整方法の問題を解消し、ボー量ａの調整を精度よく、簡単に行えるセグメントスプレッダロールの調整機構および調整方法ならびにワインダ設備を提供することを課題とするものである。
【００１７】
【課題を解決するための手段】
（１）本発明は上記課題を解決するためになされたものであり、その第１の手段として、親巻きロールから紙を巻き戻しスリッタで所定の幅にスリットし、紙幅方向に直列の複数の分割ロールからなるセグメントスプレッダロールを経由してシッピングロールを製造するワインダ設備におけるセグメントスプレッダロールの調整機構であって、前記各分割ロールを支持するハウジングを紙送り方向に移動可能に支持する複数のプレートと、同プレートを同紙送り方向に移動可能に支持しフレーム上に固定されるガイドと、前記プレートと前記ガイドの間に装着され同プレートを同ガイドに対して前記紙送り方向に移動および固定する調整ボルトと、同フレームに固定されピストン先端が前記プレートにピン支持されたリンク機構を介して前記ハウジングに連動し同ハウジングを前記プレートに対して移動させるシリンダとを備えてなることを特徴とするセグメントスプレッダロールの調整機構を提供する。
【００１８】
第１の手段によれば、その構成により、セグメントスプレッダロールのボー量の調整を一次的にはシリンダで大合せで設定し、二次的に調整ボルトで微調整する、二段調整が可能であり、ボー量の調整を精度よく、短時間に簡単に行なうことができる。
【００１９】
（２）第２の手段としては、第１の手段のセグメントスプレッダロールの調整機構において、前記複数のプレートは前記紙幅方向の中央部に位置するプレートから側端部に位置するプレートへ順次厚さを減じたものとしてなることを特徴とするセグメントスプレッダロールの調整機構を提供する。
【００２０】
第２の手段によれば、第１の手段の作用に加え、紙面に垂直な方向の各分割ロールの表面位置を調整でき、ボー量の調整に加え、紙面の押込み量を紙幅方向中央部で大きく、側端部で小さくできる。
【００２１】
（３）また、第３の手段として、第１の手段または第２の手段のセグメントスプレッダロールの調整機構を備えてなることを特徴とするワインダ設備を提供する。
【００２２】
第３の手段によれば、ワインダ設備は、第１の手段または第２の手段の作用により、セグメントスプレッダロールのボー量の設定が短時間で正確に行える。
【００２３】
（４）第４の手段として、第１の手段または第２の手段のセグメントスプレッダロールの調整機構を用い、予め前記シリンダで前記各分割ロールのボー量を一次的に設定したのち、ついで前記調整ボルトで前記各分割ロールのボー量を二次的に微調整することを特徴とするセグメントスプレッダロールの調整方法を提供する。
【００２４】
第４の手段によれば、ワインダ設備において、第１の手段または第２の手段の作用により、セグメントスプレッダロールのボー量を二段調整で、先ずシリンダで大合せで設定し、調整ボルトで微調整するので、ボー量の設定が精度よく、短時間にできる。特に第２の手段のセグメントスプレッダロールの調整機構を用いた場合、調整が容易となり、調整範囲が広がる。
【００２５】
【発明の実施の形態】
図１から図６に基づき、本発明の実施の一形態に係るセグメントスプレッダロールの調整機構および調整方法ならびにワインダ設備を説明する。図１は、図７中Ｄ−Ｄ矢視による本実施の形態のセグメントスプレッダロールの構成概要立面図である。図２は図１中Ｅ−Ｅ矢視拡大図であり、本実施の形態のセグメントスプレッダロールの調整機構としての各分割ロールのボー量の調整機構を示す。図３は図２中Ｆ−Ｆ矢視拡大断面図である。図４は、図１から図３に示した実施の形態中、プレートの周辺の構成を示す斜視図、図５は、図４中Ｇ矢視による斜視図であり、図６は複数のプレートの厚さの関係の説明図である。
【００２６】
セグメントスプレッダロールの調整機構以外の本実施の形態のワインダ設備は、図７に示すものと同様であり、親巻きロール５３をアンワインダ装置５４にセットし、紙５１を巻き戻しながらスリッタ５６において所定の紙幅にスリットし、セグメントスプレッダロール５７を経由して、ツードラムワインダ５８上でシッピングロール６０を製造するシステム構成は従来技術と変更ないため、説明を省略し、従来例と異なるセグメントスプレッダロールの調整機構を主に以下説明する。
【００２７】
図１に示すように、セグメントスプレッダロール１は紙幅方法Ｙに直列の複数の分割ロール２からなり、各分割ロール２はハウジング３によって連結されて回転自在に支持されている。各ハウジング３は、セグメントスプレッダロール１の軸方向に適当な間隔を保って立設された架台１８に取付けられた調整ボルト１９によって垂直方向の高さが調整可能に設けられたフレーム２０上に下記のように配設されている。
【００２８】
図２および図３に示すように、ハウジング３はその座面３ａが、プレート４上に密着して支持されており、座面３ａ部に設けられた紙送り方向Ｘの長穴３ｂを挿通したボルト１７が、ハウジング３がプレート上を紙送り方向Ｘに摺動可能な適切なクリアランスを形成するようにプレート４に締結されている。摺動可能なクリアランスを形成するためには、ボルト１７を所定の段高さを有する段付ボルトとしたり、または図示しないが座面３ａ部との間に適切なクリアランスを与える押え板をボルト１７で締結する等、適宜の手段によってよい。
【００２９】
さらにプレート４はフレーム２０に固定されたガイド５に嵌合し、プレート４の側縁部のフランジ４ａは、ガイド５にボルト２２によって締結された押え板２１によって適切なクリアランスで押さえ込まれて、ガイド５に沿って紙送り方向Ｘ前後に摺動可能に支持されている。
【００３０】
分割ロール２は、軸６３の両端部において、ベアリング６４を介して回転自在に取付けられたロール部６５を備え、軸６３の軸端において球面ブッシュ６６を介してハウジング３によって支持されている。
【００３１】
また、図２、図４、図５に示すように、プレート４の一方の端部に溶接４ｂ等によって固定されたブラケット６は、リンク７の中頃をピン８によって回動自在にピン支持している。そして、リンク７の一方の端部はフレーム２０に固定されたシリンダ７５のピストン先端７５ａとピン接合されており、他方の端部はリンク９の一端にピン１０で接合し、リンク９の他端はピン１１によってハウジング３に回動自在にピン接合されるリンク機構が形成されている。
【００３２】
従って、ハウジング３は、プレート４に支持されたリンク機構を介して、ピストン先端７５ａに連動しており、シリンダ７５によってプレート４に対して紙送り方向Ｘで前後移動できるようになっている。
【００３３】
ガイド５の両端に設けられた座１２、１３には調整ボルト１４、１５が装着され、その先端が紙送り方向でプレート４に当接するようになっており、調整ボルト１４、１５を相互に出し入れして、プレート４をガイド５に対して紙送り方向Ｘで前後に移動でき、また、調整ボルト１４、１５によってガイド５に対してプレート４の紙送り方向Ｘの移動を固定することができる。
【００３４】
なお、座１２とそれに装着された調整ボルト１４は、図４に示すように、ブラケット６やリンク７との干渉を避けて、紙幅方向Ｙのオフセットｂを有して配置されている。
【００３５】
すなわち、調整ボルト１４、１５によってプレート４をガイド５に対して固定した状態でシリンダ７５を操作すれば、リンク７等の上記リンク機構によってハウジング３をプレート４に対して（また、ガイド５に対して）紙送り方向Ｘで前後移動でき、一次的な調整段階として、ボー量ａはハウジング３に固定された目盛盤１６によって、ガイド５に固定された座１３の基準位置からの変位量を読み取ることで知ることができる。
【００３６】
さらにシリンダ７５を停止して調整ボルト１４、１５を相互に出し入れすれば、プレート４がガイド５に対して紙送り方向Ｘで移動し、その結果プレート４に固定されたブラケット６のピン８の位置がガイド５に対して移動するので、プレート４上に摺動可能に密着支持されたハウジング３をリンク７等の上記リンク機構によって、ガイド５に対して紙送り方向Ｘで前後移動でき、調整ボルト１４、１５によって分割ロール２のボー量ａ（図６参照）を微調整できる。
【００３７】
そして、二次的な微調整段階として、ボー量ａはハウジング３に固定された目盛盤１６によって、座１３の基準位置からの変位量を読み取ることで知ることができる。
【００３８】
なお、図６に強調して模式的に示すように、本実施の形態において、紙幅方向Ｙに複数配されるプレート４は、紙幅方向Ｙの中央部に位置するプレート４’から側端部に位置するプレート”へ順次厚さｔを減じたものとしてもよい。
【００３９】
その様にすることによって、紙面に垂直な方向Ｚの各分割ロール２の表面位置を調整でき、ボー量ａの調整に加え、紙面の押込み量を紙幅方向Ｙ中央部で大きく、側端部で小さくできるので、セグメントスプレッダロールの分離機能の調整をより容易にでき、また調整範囲をさらに広げることができる。
【００４０】
以上のような本実施の形態のセグメントスプレッダロールの調整機構においては、従来シリンダ７５のみでボー量ａを調節する場合、精度的に十分でなく、多大な労力と時間を要したことに対し、ボー量ａの調整を一次的にはシリンダ７５で大合せで設定し、二次的に、調整ボルト１４、１５で微調整する、二段調整が可能であり、ボー量ａの調整を精度よく、簡単に行なうことができるものとなる。
【００４１】
まず、図１に示すように、調整ボルト１９を適当に調整してセグメントスプレッダロール１が水平に組立てられていることを確認する。次いで、図２に示すように、各々の分割ロール２のボー量ａを調整するために、調整ボルト１４、１５によってプレート４をガイド５に対して固定した状態でシリンダ７５を操作し、ハウジング３をプレート４に対して紙送り方向Ｘで移動させ、目盛盤１６を見ながら、一次的にボー量ａ（第９図参照）を設定する。
【００４２】
しかるのち、二次的な微調整段階として、シリンダ７５は停止した状態で、図２、図４、図５に示すガイド５とプレート４の間に装着された調整ボルト１４、１５を相互に出し入れして、プレート４をガイド５に対して移動させ、その結果プレート４上に摺動可能に密着支持されたハウジング３を、ガイド５に対して紙送り方向Ｘで前後移動させ、ガイド５に対するハウジング３の移動量を目盛盤１６によって確認しながら、微調整を行ない正確なボー量ａを決め、ボー量ａ調整を完了する。
【００４３】
以上により、本実施の形態のセグメントスプレッダロールの調整機構と調整方法によれば、各分割ロール２について短時間に簡単に、正確なボー量ａを設定することができ、紙５１のシワ入り等の不具合を防ぐことができ、調整工数の低減が可能となる。
【００４４】
また、本実施の形態のセグメントスプレッダロールの調整機構を備えたワインダ設備は、ボー量ａの設定が短時間で正確に行えるので、稼働効率、製品品質が向上するものとなる。
【００４５】
なお、図６に示すように、本実施の形態のセグメントスプレッダロールの調整機構の紙幅方向Ｙに複数配されるプレート４を、紙幅方向Ｙの中央部に位置するプレート４’から側端部に位置するプレート”へ順次厚さｔを減じたものとした場合は、紙面に垂直な方向Ｚの各分割ロール２の表面位置が調整され、ボー量ａの調整に加え、紙面の押込み量を紙幅方向Ｙ中央部で大きく、側端部で小さくできるので、セグメントスプレッダロールの分離機能の調整がより容易となり、また調整範囲をさらに広げることができる。
【００４６】
以上、本発明の実施の形態を説明したが、上記の実施の形態に限定されるものではなく、本発明の範囲でその具体的構造、構成に種々の変更を加えてもよいことは言うまでもない。
【００４７】
【発明の効果】
（１）請求項１の発明によれば、セグメントスプレッダロールの調整機構を、親巻きロールから紙を巻き戻しスリッタで所定の幅にスリットし、紙幅方向に直列の複数の分割ロールからなるセグメントスプレッダロールを経由してシッピングロールを製造するワインダ設備におけるセグメントスプレッダロールの調整機構であって、前記各分割ロールを支持するハウジングを紙送り方向に移動可能に支持する複数のプレートと、同プレートを同紙送り方向に移動可能に支持しフレーム上に固定されるガイドと、前記プレートと前記ガイドの間に装着され同プレートを同ガイドに対して前記紙送り方向に移動および固定する調整ボルトと、同フレームに固定されピストン先端が前記プレートにピン支持されたリンク機構を介して前記ハウジングに連動し同ハウジングを前記プレートに対して移動させるシリンダとを備えてなるように構成したので、セグメントスプレッダロールのボー量の調整を一次的にはシリンダで大合せで設定し、二次的に調整ボルトで微調整する、二段調整が可能であり、ボー量の調整を精度よく、短時間に簡単に行なうことができるものとなり、紙のシワ入り等の不具合が生じることを防ぐことができる。
【００４８】
（２）請求項２の発明によれば、請求項１に記載のセグメントスプレッダロールの調整機構において、前記複数のプレートは前記紙幅方向の中央部に位置するプレートから側端部に位置するプレートへ順次厚さを減じたものとしてなるように構成したので、請求項１の発明の効果に加え、紙面に垂直な方向の各分割ロールの表面位置を調整でき、ボー量の調整に加え、紙面の押込み量を紙幅方向中央部で大きく、側端部で小さくできるので、セグメントスプレッダロールの分離機能の調整をより容易にでき、また調整範囲をさらに広げることができる。
【００４９】
（２）請求項３の発明によれば、ワインダ設備を、請求項１または請求項２に記載のセグメントスプレッダロールの調整機構を備えてなるように構成したので、請求項１または請求項２の発明の効果により、ワインダ設備は、セグメントスプレッダロールのボー量の設定が短時間で正確に行えるので、稼働効率、製品品質が向上するものとなる。
【００５０】
（４）請求項４の発明によれば、セグメントスプレッダロールの調整方法を、請求項１または請求項２に記載のセグメントスプレッダロールの調整機構を用い、予め前記シリンダで前記各分割ロールのボー量を一次的に設定したのち、ついで前記調整ボルトで前記各分割ロールのボー量を二次的に微調整するように構成したので、ワインダ設備において、セグメントスプレッダロールのボー量を二段調整で、先ずシリンダで大合せで設定し、調整ボルトで微調整するため、請求項１または請求項２の発明の効果により、ボー量の設定が精度よく、短時間にでき、調整工数の低減が可能となり、紙のシワ入り等の不具合が生じることも防ぐことができる。とくに、請求項２に記載のセグメントスプレッダロールの調整機構を用いた場合は、ボー量の調整に加え、紙面に垂直な方向の各分割ロールの表面位置を調整でき、紙面の押込み量を紙幅方向中央部で大きく、側端部で小さくできるので、セグメントスプレッダロールの分離機能の調整をより容易にでき、また調整範囲をさらに広げることができる。
【図面の簡単な説明】
【図１】図７中Ｄ−Ｄ矢視による、本発明の実施の一形態に係るセグメントスプレッダロールの構成概要立面図である。
【図２】図１中Ｅ−Ｅ矢視拡大図であり、本実施の形態のセグメントスプレッダロールの調整機構としての各分割ロールのボー量ａの調整機構を示す。
【図３】図２中Ｆ−Ｆ矢視拡大断面図である。
【図４】図１から図３に示した実施の形態中、プレートの周辺の構成を示す斜視図である。
【図５】図４中Ｇ矢視による斜視図である。
【図６】複数のプレートの厚さの関係の説明図である。
【図７】一般的なツードラムワインダ設備の構成概要立面図である。
【図８】図７中Ａ−Ａ矢視平面図である。
【図９】図８におけるセグメントスプレッダロールの各分割ロールのボー量を強調して示す平面図である。
【図１０】図９中Ｂ−Ｂ矢視による従来のセグメントスプレッダロールの調整機構の拡大断面図である。
【図１１】図１０中Ｃ−Ｃ矢視図である。
【符号の説明】
１                    セグメントスプレッダロール
２                    分割ロール
３                    ハウジング
３ａ                  座面
３ｂ                  長穴
４                    プレート
５                    ガイド
６                    ブラケット
７                    リンク
８                    ピン
９                    リンク
１２、１３            座
１４、１５            調整ボルト
１６                  目盛盤
１８                  架台
１９                  調整ボルト
２０                  フレーム
２１                  押え板
５１                  紙
５２                  リールスプロール
５３                  親巻きロール
５４                  アンワインダ装置
５５                  リードインロール
５６                  スリッタ
５８                  ツードラムワインダ
５９                  コア
６０                  シッピングロール
６３                  軸
６４                  ベアリング
６５                  ロール部
６６                  球面ブッシュ
７５                  シリンダ
７５ａ                ピストン先端
【図１】
2004189412.tif 000003
【図２】
2004189412.tif 000004
【図３】
2004189412.tif 000005
【図４】
2004189412.tif 000006
【図５】
2004189412.tif 000007
【図６】
2004189412.tif 000008
【図７】
2004189412.tif 000009
【図８】
2004189412.tif 000010
【図９】
2004189412.tif 000011
【図１０】
2004189412.tif 000012
【図１１】
2004189412.tif 000013